【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
ビデオデータの復号されたブロックをフィルタ処理する方法であって、
ビデオデータの現在ピクチャのブロックの複数のクラスに対応する複数のフィルタを構築すること、ここにおいて、前記複数のフィルタを構築することは、
フィルタ係数のセットの数を生成すること、フィルタ係数の各セットは、フィルタを表す、と、
前記複数のクラスのそれぞれのクラスのための前記フィルタ係数のセットのうちの１つを識別するそれぞれのインデックス値ｉcを決定すること、ここにおいて、前記複数のクラスのうちの１つよりも多くの前記インデックス値ｉcは、フィルタ係数の同じセットを識別する、と
を備える、と、
前記現在ピクチャの現在ブロックを復号することと、
前記現在ブロックのためのクラスを決定することと、
前記現在ブロックのための前記クラスに対応する前記複数のフィルタのうちのフィルタを選択することと、
前記選択されたフィルタを使用して前記現在ブロックの少なくとも１つのピクセルをフィルタ処理することと
を備える、方法。
【請求項２】
前記それぞれのインデックスは、両端値を含む［０，フィルタ係数のセットの数−１］の前記範囲内にある、
請求項１に記載の方法。
【請求項３】
少なくとも１つのピクセルの１つまたは複数の勾配を計算することと、
フィルタサポート領域または前記選択されたフィルタの係数のうちの１つに対して実施されるべき幾何学的変換を選択することと
をさらに備え、前記幾何学的変換を選択することは、前記少なくとも１つのピクセルの前記勾配の向きに対応する前記幾何学的変換を選択すること備える、
請求項１に記載の方法。
【請求項４】
前記幾何学的変換は、回転、対角反転、または垂直反転のうちの１つを備える、
請求項３に記載の方法。
【請求項５】
前記フィルタサポート領域は、前記選択されたフィルタの係数がそれに適用されるべきである、前記現在ブロックの前記少なくとも１つのピクセルに対する複数の隣接ピクセルを備え、前記少なくとも１つのピクセルをフィルタ処理することは、前記選択されたフィルタの、前記係数または前記フィルタサポート領域のいずれかに対して前記幾何学的変換を実施することを備える、
請求項３に記載の方法。
【請求項６】
前記複数のフィルタを構築することは、
前記クラスのサブセットに対応する前記クラスと別個の少なくとも１つのクラスのために、固定フィルタが前記クラスのフィルタ係数のセットを予測するために使用されるかどうかを示すフラグの値を決定すること、ここにおいて、固定フィルタは、前記複数のフィルタの構築より前に既知であるフィルタである、と、
固定フィルタが、前記フィルタ係数のセットを予測するために使用されることを示す前記フラグの前記値に応答して、固定フィルタのセットへのインデックス値を決定することと、前記インデックス値によって識別された前記固定フィルタのセットの固定フィルタを使用して、前記クラスの前記フィルタ係数のセットを予測することと
を備える、請求項１に記載の方法。
【請求項７】
前記複数のフィルタを構築することは、
前記クラスの前記予測されたフィルタ係数のセットに適用されるべきオフセット値を決定することと、
前記クラスのための前記フィルタを構築するために前記クラスの前記予測されたフィルタ係数のセットに前記オフセット値を適用することと
をさらに備える、請求項６に記載の方法。
【請求項８】
前記複数のフィルタを構築することは、
前記クラスと別個の前記クラスのさらなるサブセットのいずれかのための前記フィルタ係数のセットのいずれも前記固定フィルタのいずれかから予測されないこと、
前記クラスの前記さらなるサブセットのすべてのための前記フィルタ係数のセットのすべてが前記固定フィルタのうちの少なくとも１つから予測されること、または
前記クラスの前記さらなるサブセットの前記フィルタ係数のセットのいくつかが前記固定フィルタのうちの１つまたは複数から予測されること
のうちの１つを表す値を決定することをさらに備える、請求項１に記載の方法。
【請求項９】
前記複数のクラスのいずれかのための前記フィルタ係数のセットのいずれも前記固定フィルタのいずれかから予測されないことを前記値が表すとき、前記１つまたは複数の固定フィルタのうちの固定フィルタを表すインデックス値の決定を防止することをさらに備える、
請求項８に記載の方法。
【請求項１０】
前記複数のクラスのすべてのための前記フィルタ係数のセットのすべてが前記固定フィルタのうちの少なくとも１つから予測されることを前記値が表すとき、前記対応するクラスのための前記フィルタ係数のセットがそれから予測される前記固定フィルタのうちの前記１つを表す前記複数のクラスの各々のためのインデックス値を決定することをさらに備える、
請求項８に記載の方法。
【請求項１１】
前記複数のクラスの前記フィルタ係数のセットのうちのいくつかが前記固定フィルタのうちの１つまたは複数から予測されることを前記値が表すとき、
前記複数のクラスのどれが前記固定フィルタのうちの１つまたは複数から予測されるフィルタ係数のセットに対応するかを決定することと、
前記固定フィルタのうちの１つまたは複数から予測される前記フィルタ係数のセットの各々のために、前記対応するフィルタ係数のセットがそれから予測される前記１つまたは複数の固定フィルタのうちの前記固定フィルタを表すインデックス値を決定することと
をさらに備える、請求項８に記載の方法。
【請求項１２】
前記現在ブロックを復号することより前に前記現在ブロックを符号化することをさらに備える、
請求項１に記載の方法。
【請求項１３】
ビデオデータの復号されたブロックをフィルタ処理するデバイスであって、
前記ビデオデータを記憶するように構成されたメモリと、
回路において実装される１つまたは複数の処理ユニットと
を備え、前記１つまたは複数のプロセッサは、
前記ビデオデータの現在ピクチャのブロックの複数のクラスに対応する複数のフィルタを構築すること、ここにおいて、前記複数のフィルタを構築することは、前記１つまたは複数の処理ユニットが、
フィルタ係数のセットの数を生成すること、前記フィルタ係数の各セットは、フィルタを表す、と、
前記前記複数のクラスのそれぞれのクラスのための前記フィルタ係数のセットのうちの１つを識別するそれぞれのインデックス値ｉcを決定すること、ここにおいて、前記複数のクラスのうちの１つより多くの前記インデックス値ｉcは、フィルタ係数の同じセットを識別する、と
を行うように構成される、と、
前記現在ピクチャの現在ブロックを復号することと、
前記現在ブロックのためのクラスを決定することと、
前記現在ブロックのための前記クラスに対応する前記複数のフィルタのうちのフィルタを選択することと、
前記選択されたフィルタを使用して前記現在ブロックの少なくとも１つのピクセルをフィルタ処理することと
を行うように構成される、デバイス。
【請求項１４】
前記デバイスは、ワイヤレス通信デバイスであり、
前記現在ピクチャを含むビデオデータを受信するように構成される受信機をさらに備え、
前記ワイヤレス通信デバイスは望ましくは、セルラー電話であり、前記ビデオデータは望ましくは、前記受信機によって受信され、セルラー通信規格に従って変調される、
請求項１３に記載のデバイス。
【請求項１５】
実行されたとき、プロセッサに、請求項１乃至１２のいずれか１項に記載の方法を実行させる命令を有するコンピュータ可読記憶媒体。
【手続補正２】
【補正対象書類名】明細書
【補正対象項目名】０１７９
【補正方法】変更
【補正の内容】
【０１７９】
[0164]様々な例が説明された。これらおよび他の例は、以下の特許請求の範囲内に入る。
以下に、本願出願の当初の特許請求の範囲に記載された発明を付記する。
［Ｃ１］
ビデオデータの復号されたブロックをフィルタ処理する方法であって、
ビデオデータの現在ピクチャのブロックのクラスのための複数のフィルタを構築すること、ここにおいて、前記複数のフィルタを構築することは、
生成されるべきフィルタ係数のセットの数を決定することと、
前記数の、フィルタ係数のセットを生成することと、
前記複数のフィルタのサブセットのために、前記サブセットの前記対応するフィルタのための前記フィルタ係数のセットのうちの１つを識別するそれぞれのインデックスを決定することと
を備える、と、
前記現在ピクチャの現在ブロックを復号することと、
前記現在ブロックのためのクラスを決定することと、
前記現在ブロックのための前記クラスに対応する前記複数のフィルタのうちのフィルタを選択することと、
前記選択されたフィルタを使用して前記現在ブロックの少なくとも１つのピクセルをフィルタ処理することと
を備える、方法。
［Ｃ２］
前記それぞれのインデックスは、両端値を含む［０，フィルタ係数のセットの数−１］の前記範囲内にある、
［Ｃ１］に記載の方法。
［Ｃ３］
少なくとも１つのピクセルの１つまたは複数の勾配を計算することと、
フィルタサポート領域または前記選択されたフィルタの係数のうちの１つに対して実施されるべき幾何学的変換を選択することと
をさらに備え、前記幾何学的変換を選択することは、前記少なくとも１つのピクセルの前記勾配の向きに対応する前記幾何学的変換を選択すること備える、
［Ｃ１］に記載の方法。
［Ｃ４］
前記幾何学的変換は、回転、対角反転、または垂直反転のうちの１つを備える、
［Ｃ３］に記載の方法。
［Ｃ５］
前記フィルタサポート領域は、前記選択されたフィルタの係数がそれに適用されるべきである、前記現在ブロックの前記少なくとも１つのピクセルに対する複数の隣接ピクセルを備え、前記少なくとも１つのピクセルをフィルタ処理することは、前記選択されたフィルタの、前記係数または前記フィルタサポート領域のいずれかに対して前記幾何学的変換を実施することを備える、
［Ｃ３］に記載の方法。
［Ｃ６］
前記複数のフィルタを構築することは、
前記複数のフィルタの前記サブセットに対応する前記クラスと別個の少なくとも１つのクラスのために、固定フィルタが前記クラスのフィルタ係数のセットを予測するために使用されるかどうかを示すフラグの値を決定することと、
固定フィルタが、前記フィルタ係数のセットを予測するために使用されることを示す前記フラグの前記値に応答して、固定フィルタのセットへのインデックス値を決定することと、前記インデックス値によって識別された前記固定フィルタのセットの固定フィルタを使用して、前記クラスの前記フィルタ係数のセットを予測することと
を備える、［Ｃ１］に記載の方法。
［Ｃ７］
前記複数のフィルタを構築することは、
前記クラスの前記予測されたフィルタ係数のセットに適用されるべきオフセット値を決定することと、
前記クラスのための前記フィルタを構築するために前記クラスの前記予測されたフィルタ係数のセットに前記オフセット値を適用することと
をさらに備える、［Ｃ６］に記載の方法。
［Ｃ８］
前記複数のフィルタを構築することは、
前記複数のフィルタの前記サブセットに対応する前記クラスと別個の前記クラスのサブセットのいずれかのための前記フィルタ係数のセットのいずれも前記固定フィルタのいずれかから予測されないこと、
前記クラスの前記サブセットのすべてのための前記フィルタ係数のセットのすべてが前記固定フィルタのうちの少なくとも１つから予測されること、または
前記クラスの前記サブセットの前記フィルタ係数のセットのいくつかが前記固定フィルタのうちの１つまたは複数から予測されること
のうちの１つを表す値を決定することをさらに備える、［Ｃ１］に記載の方法。
［Ｃ９］
前記複数のクラスのいずれかのための前記フィルタ係数のセットのいずれも前記固定フィルタのいずれかから予測されないことを前記値が表すとき、前記１つまたは複数の固定フィルタのうちの固定フィルタを表すインデックス値の決定を防止することをさらに備える、
［Ｃ８］に記載の方法。
［Ｃ１０］
前記複数のクラスのすべてのための前記フィルタ係数のセットのすべてが前記固定フィルタのうちの少なくとも１つから予測されることを前記値が表すとき、前記対応するクラスのための前記フィルタ係数のセットがそれから予測される前記固定フィルタのうちの前記１つを表す前記複数のクラスの各々のためのインデックス値を決定することをさらに備える、
［Ｃ８］に記載の方法。
［Ｃ１１］
前記複数のクラスの前記フィルタ係数のセットのうちのいくつかが前記固定フィルタのうちの１つまたは複数から予測されることを前記値が表すとき、
前記複数のクラスのどれが前記固定フィルタのうちの１つまたは複数から予測されるフィルタ係数のセットに対応するかを決定することと、
前記固定フィルタのうちの１つまたは複数から予測される前記フィルタ係数のセットの各々のために、前記対応するフィルタ係数のセットがそれから予測される前記１つまたは複数の固定フィルタのうちの前記固定フィルタを表すインデックス値を決定することと
をさらに備える、［Ｃ８］に記載の方法。
［Ｃ１２］
前記現在ブロックを復号することより前に前記現在ブロックを符号化することをさらに備える、
［Ｃ１］に記載の方法。
［Ｃ１３］
前記方法は、ワイヤレス通信デバイス上で実行可能であり、前記デバイスは、
前記ビデオデータを記憶するように構成されたメモリと、
前記メモリに記憶された前記ビデオデータを処理するための命令を実行するように構成されたプロセッサと、
前記ビデオデータを受信し、前記メモリに前記ビデオデータを記憶するように構成された受信機と
を備える、［Ｃ１］に記載の方法。
［Ｃ１４］
前記ワイヤレス通信デバイスは、セルラー電話であり、前記ビデオデータは、受信機によって受信され、セルラー通信規格に従って変調される、
［Ｃ１３］に記載の方法。
［Ｃ１５］
ビデオデータの復号されたブロックをフィルタ処理するデバイスであって、
前記ビデオデータを記憶するように構成されたメモリと、
回路において実装される１つまたは複数の処理ユニットと
を備え、前記１つまたは複数のプロセッサは、
前記ビデオデータの現在ピクチャのブロックのクラスのための複数のフィルタを構築すること、ここにおいて、前記複数のフィルタを構築することは、前記１つまたは複数の処理ユニットが、
生成されるべきフィルタ係数のセットの数を決定することと、
前記数の、フィルタ係数のセットを生成することと、
前記複数のフィルタのサブセットのために、前記サブセットの前記対応するフィルタのための前記フィルタ係数のセットのうちの１つを識別するそれぞれのインデックスを決定することと
を行うように構成される、と、
前記現在ピクチャの現在ブロックを復号することと、
前記現在ブロックのためのクラスを決定することと、
前記現在ブロックのための前記クラスに対応する前記複数のフィルタのうちのフィルタを選択することと、
前記選択されたフィルタを使用して前記現在ブロックの少なくとも１つのピクセルをフィルタ処理することと
を行うように構成される、デバイス。
［Ｃ１６］
前記それぞれのインデックスは、両端値を含む［０，フィルタ係数のセットの数−１］の前記範囲内にある、
［Ｃ１５］に記載のデバイス。
［Ｃ１７］
前記１つまたは複数の処理ユニットは、
前記少なくとも１つのピクセルの１つまたは複数の勾配を計算することと、
フィルタサポート領域または前記選択されたフィルタの係数のうちの１つに対して実施されるべき幾何学的変換を選択することと
を行うようにさらに構成され、前記幾何学的変換を選択するために、前記処理ユニットは、前記少なくとも１つのピクセルの前記勾配の向きに対応する前記幾何学的変換を選択することを行うように構成される、
［Ｃ１５］に記載のデバイス。
［Ｃ１８］
前記幾何学的変換は、回転、対角反転、または垂直反転のうちの１つを備える、
［Ｃ１７］に記載のデバイス。
［Ｃ１９］
前記フィルタサポート領域は、前記選択されたフィルタの係数がそれに適用されるべきである、前記現在ブロックの前記少なくとも１つのピクセルに対する複数の隣接ピクセルを備え、前記１つまたは複数の処理ユニットは、前記選択されたフィルタの、前記係数または前記フィルタサポート領域のいずれかに対して前記幾何学的変換を実施する要に構成される、
［Ｃ１７］に記載のデバイス。
［Ｃ２０］
前記複数のフィルタを構築するために、前記１つまたは複数の処理ユニットは、
前記複数のフィルタの前記サブセットに対応する前記クラスと別個の少なくとも１つのクラスのために、固定フィルタが前記クラスのフィルタ係数のセットを予測するために使用されるかどうかを示すフラグの値を決定することと、
固定フィルタが、前記フィルタ係数のセットを予測するために使用されることを示す前記フラグの前記値に応答して、固定フィルタのセットへのインデックス値を決定することと、前記インデックス値によって識別された前記固定フィルタのセットの固定フィルタを使用して、前記クラスの前記フィルタ係数のセットを予測することと
を行うように構成される、［Ｃ１５］に記載のデバイス。
［Ｃ２１］
前記複数のフィルタを構築するために、前記１つまたは複数の処理ユニットは、
前記クラスの前記予測されたフィルタ係数のセットに適用されるべきオフセット値を決定することと、
前記クラスのための前記フィルタを構築するために前記クラスの前記予測されたフィルタ係数のセットに前記オフセット値を適用することと
を行うように構成される、［Ｃ２０］に記載のデバイス。
［Ｃ２２］
前記複数のフィルタを構築するために、前記１つまたは複数の処理ユニットは、
前記複数のフィルタの前記サブセットに対応する前記クラスと別個の前記クラスのサブセットのいずれかのための前記フィルタ係数のセットのいずれも前記固定フィルタのいずれかから予測されないこと、
前記クラスの前記サブセットのすべてのための前記フィルタ係数のセットのすべてが前記固定フィルタのうちの少なくとも１つから予測されること、または
前記クラスの前記サブセットの前記フィルタ係数のセットのいくつかが前記固定フィルタのうちの１つまたは複数から予測されること
のうちの１つを表す値を決定するようにさらに構成される、［Ｃ１５］に記載のデバイス。
［Ｃ２３］
前記１つまたは複数の処理ユニットは、前記複数のクラスのいずれかのための前記フィルタ係数のセットのいずれも前記固定フィルタのいずれかから予測されないことを前記値が表すとき、前記１つまたは複数の固定フィルタのうちの固定フィルタを表すインデックス値の決定を防止することを行うようにさらに構成される、
［Ｃ２２］に記載のデバイス。
［Ｃ２４］
前記１つまたは複数の処理ユニットは、前記複数のクラスのすべてのための前記フィルタ係数のセットのすべてが前記固定フィルタのうちの少なくとも１つから予測されることを前記値が表すとき、前記対応するクラスのための前記フィルタ係数のセットがそれから予測される前記固定フィルタのうちの前記１つを表す前記複数のクラスの各々のためのインデックス値を決定することを行うようにさらに構成される、
［Ｃ２２］に記載のデバイス。
［Ｃ２５］
前記１つまたは複数の処理ユニットは、前記複数のクラスの前記フィルタ係数のセットのうちのいくつかが前記固定フィルタのうちの１つまたは複数から予測されることを前記値が表すとき、
前記複数のクラスのどれが前記固定フィルタのうちの１つまたは複数から予測されるフィルタ係数のセットに対応するかを決定することと、
前記固定フィルタのうちの１つまたは複数から予測される前記フィルタ係数のセットの各々のために、前記対応するフィルタ係数のセットがそれから予測される前記１つまたは複数の固定フィルタのうちの前記固定フィルタを表すインデックス値を決定することと
を行うようにさらに構成される、［Ｃ２２］に記載のデバイス。
［Ｃ２６］
前記１つまたは複数の処理ユニットは、前記現在ブロックを復号することより前に、前記現在ブロックを符号化するようにさらに構成される、
［Ｃ１５］に記載のデバイス。
［Ｃ２７］
前記デバイスは、ワイヤレス通信デバイスであり、
前記現在ピクチャを含むビデオデータを受信するように構成される受信機をさらに備える、
［Ｃ１５］に記載のデバイス。
［Ｃ２８］
前記ワイヤレス通信デバイスは、セルラー電話であり、前記ビデオデータは、前記受信機によって受信され、セルラー通信規格に従って変調される、
［Ｃ２７］に記載のデバイス。
［Ｃ２９］
ビデオデータの復号されたブロックをフィルタ処理するデバイスであって、
ビデオデータの現在ピクチャのブロックのクラスのための複数のフィルタを構築するための手段、ここにおいて、前記複数のフィルタを前記構築するための手段は、
生成されるべきフィルタ係数のセットの数を決定するための手段と、
フィルタ係数のセットを生成するための手段と、
前記複数のフィルタのサブセットのために、前記サブセットの前記対応するフィルタのための前記フィルタ係数のセットのうちの１つを識別するそれぞれのインデックスを決定するための手段と
を備える、と、
前記現在ピクチャの現在ブロックを復号するための手段と、
前記現在ブロックのためのクラスを決定するための手段と、
前記現在ブロックのための前記クラスに対応する前記複数のフィルタのうちのフィルタを選択するための手段と、
前記選択されたフィルタを使用して前記現在ブロックの少なくとも１つのピクセルをフィルタ処理するための手段と
を備える、デバイス。
［Ｃ３０］
前記それぞれのインデックスは、両端値を含む［０，フィルタ係数のセットの数−１］の前記範囲内にある、
［Ｃ２９］に記載のデバイス。
［Ｃ３１］
前記少なくとも１つのピクセルの１つまたは複数の勾配を計算するための手段と、
フィルタサポート領域または前記選択されたフィルタの係数のうちの１つに対して実施されるべき幾何学的変換を選択するための手段と
をさらに備え、前記幾何学的変換を前記選択するための手段は、前記少なくとも１つのピクセルの前記勾配の向きに対応する前記幾何学的変換を選択するための手段を備える、
［Ｃ２９］に記載のデバイス。
［Ｃ３２］
前記複数のフィルタを前記構築するための手段は、
前記複数のフィルタの前記サブセットに対応する前記クラスと別個の少なくとも１つのクラスのために、固定フィルタが前記クラスのフィルタ係数のセットを予測するために使用されるかどうかを示すフラグの値を決定するための手段と、
固定フィルタが、前記フィルタ係数のセットを予測するために使用されることを示す前記フラグの前記値に応答して、固定フィルタのセットへのインデックス値を決定するための手段と、
前記インデックス値によって識別された前記固定フィルタのセットの固定フィルタを使用して、前記クラスの前記フィルタ係数のセットを予測するための手段と
を備える、［Ｃ２９］に記載のデバイス。
［Ｃ３３］
前記複数のフィルタを前記構築するための手段は、
前記複数のフィルタの前記サブセットに対応する前記クラスと別個の前記クラスのサブセットのいずれかのための前記フィルタ係数のセットのいずれも前記固定フィルタのいずれかから予測されないこと、
前記クラスの前記サブセットのすべてのための前記フィルタ係数のセットのすべてが前記固定フィルタのうちの少なくとも１つから予測されること、または
前記クラスの前記サブセットの前記フィルタ係数のセットのいくつかが前記固定フィルタのうちの１つまたは複数から予測されること
のうちの１つを表す値を決定するための手段をさらに備える、［Ｃ２９］に記載のデバイス。
［Ｃ３４］
前記現在ブロックを復号することより前に前記現在ブロックを符号化することをさらに備える、
［Ｃ２９］に記載のデバイス。
［Ｃ３５］
命令を記憶したコンピュータ可読記憶媒体であって、前記命令は、実行されたとき、プロセッサに、
ビデオデータの現在ピクチャのブロックのクラスのための複数のフィルタを構築すること、ここにおいて、前記プロセッサに、前記複数のフィルタを構築することを行わせる前記命令は、前記プロセッサに、
生成されるべきフィルタ係数のセットの数を決定することと、
前記数の、フィルタ係数のセットを生成することと、
前記複数のフィルタのサブセットのために、前記サブセットの前記対応するフィルタのための前記フィルタ係数のセットのうちの１つを識別するそれぞれのインデックスを決定することと
を行わせる命令を備える、と、
前記現在ピクチャの現在ブロックを復号することと、
前記現在ブロックのためのクラスを決定することと、
前記現在ブロックのための前記クラスに対応する前記複数のフィルタのうちのフィルタを選択することと、
前記選択されたフィルタを使用して前記現在ブロックの少なくとも１つのピクセルをフィルタ処理することと
を行わせる命令を備える、コンピュータ可読記憶媒体。
［Ｃ３６］
前記それぞれのインデックスは、両端値を含む［０，フィルタ係数のセットの数−１］の前記範囲内にある、
［Ｃ３５］に記載のコンピュータ可読記憶媒体。
［Ｃ３７］
プロセッサに、
少なくとも１つのピクセルの１つまたは複数の勾配を計算することと、
フィルタサポート領域または前記選択されたフィルタの係数のうちの１つに対して実施されるべき幾何学的変換を選択することと
を行わせる命令をさらに備え、前記プロセッサに、前記幾何学的変換を選択することを行わせる前記命令は、前記プロセッサに、前記少なくとも１つのピクセルの前記勾配の向きに対応する前記幾何学的変換を選択することを行わせる命令を備える、
［Ｃ３５］に記載のコンピュータ可読記憶媒体。
［Ｃ３８］
前記プロセッサに、前記複数のフィルタを構築することを行わせる前記命令は、前記プロセッサに、
前記複数のフィルタの前記サブセットに対応する前記クラスと別個の少なくとも１つのクラスのために、固定フィルタが前記クラスのフィルタ係数のセットを予測するために使用されるかどうかを示すフラグの値を決定することと、
固定フィルタが、前記フィルタ係数のセットを予測するために使用されることを示す前記フラグの前記値に応答して、固定フィルタのセットへのインデックス値を決定することと、前記インデックス値によって識別された前記固定フィルタのセットの固定フィルタを使用して、前記クラスの前記フィルタ係数のセットを予測することと
を行わせる命令を備える、［Ｃ３５］に記載のコンピュータ可読記憶媒体。
［Ｃ３９］
前記プロセッサに、前記複数のフィルタを構築することを行わせる前記命令は、前記プロセッサに、
前記複数のフィルタの前記サブセットに対応する前記クラスと別個の前記クラスのサブセットのいずれかのための前記フィルタ係数のセットのいずれも前記固定フィルタのいずれかから予測されないこと、
前記クラスの前記サブセットのすべてのための前記フィルタ係数のセットのすべてが前記固定フィルタのうちの少なくとも１つから予測されること、または
前記クラスの前記サブセットの前記フィルタ係数のセットのいくつかが前記固定フィルタのうちの１つまたは複数から予測されること
のうちの１つを表す値を決定することを行わせる命令をさらに備える、［Ｃ３５］に記載のコンピュータ可読記憶媒体。
［Ｃ４０］
前記プロセッサに、前記現在ブロックを復号することより前に、前記現在ブロックを符号化することを行わせる命令をさらに備える、
［Ｃ３５］に記載のコンピュータ可読記憶媒体。